(57)【特許請求の範囲】
【請求項１】
ポイントツーポイント通信装置であって、メッセージを受信する受信手段と、受信メッセージが当該通信装置宛であるかどうかを決定する制御手段と、警報信号を生成する警報手段とを有し、該警報信号は、前記受信メッセージから決定され、前記警報信号は、可聴メロディー信号であり、前記可聴メロディー信号は、前記受信手段により受信される数字メッセージから導出され、前記制御手段は、前記受信メッセージを複数の所定のフィールドに分割し、該フィールドの一つは、テンポを決定するために前記制御手段により用いられ、前記フィールドの他の一つは、当該メロディー信号の再生の回数を決定するために該制御手段により用いられ、前記フィールドの他のフィールドは、音符を決定するために該制御手段により用いられることを特徴とするポイントツーポイント通信装置。
【請求項２】
請求項１に記載の通信装置において、
各音符は、二文字フィールドによって表わされ、前記制御手段は、当該メッセージの中に奇数個の文字が存在することの確認に応じて、音符を表わす二文字フィールドを与えるために所定の一文字に一つの文字を付加することを特徴とする通信装置。
【請求項３】
メッセージを受信し且つ解読し、解読されたメッセージデータを用いてメロディーを生成する、ポイントツーポイント通信装置においてメロディーを生成する方法であって、前記解読されたメッセージを複数の所定のフィールドに分割し、該フィールドの一つは、テンポを決定するために用いられ、前記フィールドの他のフィールドは、音符を決定するために用いられ、前記解読されたメッセージを複数の所定のフィールドに分割し、該フィールドの一つは、テンポを決定するために用いられ、前記フィールドの他の一つは、当該メロディー信号の再生の回数を決定するために用いられ、前記フィールドの他のフィールドは、音符を決定するために用いられることを特徴とする方法。
【請求項４】
請求項３に記載の方法において、
音符が二文字フィールドによって表わされ、奇数個の文字が存在することの確認に応じて、音符を表わす二文字を与えるために所定の文字が所定の一文字に付加されることを特徴とする方法。
【発明の詳細な説明】
技術分野
本発明は、通信装置、とりわけ、排他的ではないが、選択的呼出し受信機、例えば、無線ページャー、セルラ方式又はコードレス方式の電話若しくはコード付き電話等の装置に関する。
背景技術
そのような通信装置は、可聴的、視覚的又は触覚的であっても良い１つ以上の警報トランスデューサを組み込んでいる。セルラ方式又はコードレス方式の電話よりも余り邪魔になるということがない無線ページャーの場合、ユーザーが警報を受けたときに、該ユーザーは、メッセージの発信源又は知覚的な優先順位に関して指示を得ない。この情報を確認する唯一の方法は、ユーザーが受信したメッセージを読むことだけである。
電池動力の通信装置は、概して、メッセージ並びに制御及びユーザーインターフェースデータを表示するためのＬＣＤディスプレイを有する。既知のように、ＬＣＤディスプレイは、特に視覚障害のあるユーザーにとって、不十分な照明状態の下ではそれらを読むことを困難にする恐れがある不十分なコントラストを有する。
典型的には、通信装置は、一連のトーン及び最近においてはメロディーであるような可聴警報を生成する。初期の装置では、そのような可聴警報は、製造業者によって事前にプログラムされていて、それは、小さな作動領域内の同様の装置のユーザーが、誰の装置が警報を発しているのかについて当惑する可能性があるということを意味していた。最近では、一組の異なったメロディーが通信装置の中に事前にプログラムされていて、ユーザーは、当該装置のユーザーインターフェースのセットアップの間に該組内のメロディーの一つを手動で選択する。
国際特許出願公開第WO92/03891号は、ユーザーが自分自身のメロディーを音符ごとに受信機の中に手動でプログラムし得るように成した、選択的呼出し受信機を開示している。受信機のＬＣＤパネルは、作成されたとおりメロディーを表示する。メロディーの作成は、受信機に設けられた２つのキーを使用して、或いは外部プログラミングコンピュータによって実行され得る。このアプローチに関わる問題は、メロディーデータの入力が、特に視覚障害のある人物にとって、冗長で、遅くて、誤りを犯し易い可能性があり、且つ知覚される製品品質の見地からコストがかかる、と言うことである。
発明の開示
本発明の目的は、通信装置における区別的な可聴警報信号の生成を容易にすることにある。
本願第１の発明に拠れば、ポイントツーポイント通信装置（point-to-point communications device）メッセージを受信する受信手段と、受信メッセージが当該通信装置宛であるかどうかを決定する制御手段と、警報信号を生成する警報手段とを有し、該警報信号は、前記受信メッセージから決定される、ポイントツーポイント通信装置が提供される。
本願他の発明に拠れば、メッセージを受信し且つ解読し、解読されたメッセージデータを用いてメロディーを生成する、ポイントツーポイント通信装置においてメロディーを生成する方法が提供される。
【図面の簡単な説明】
ここで、本発明を、例として、添付図面を参照して説明する。
第１図は、簡略的な一方向ページングシステムのブロック概略図である。
第２図は、到来する数字メッセージからメロディーを生成する原理を図示している。
第３図は、生成されたメロディーの一例を図示している。
発明を実施するための最良の形態
第１図に示される簡略的な一方向ページングシステムは、基地局（即ち一次局）送信機１０に結合されるページングシステムコントローラＰＳＣを有している。実際には、ページングシステムコントローラＰＳＣに陸上通信線により結合される地理的に分配される複数の基地局送信機が存在する。これら基地局送信機は、しばしば、擬似同期モードで動作される。
ページングシステムコントローラＰＳＣは、パーソナルコンピュータ及びモデム（図示略）を有するオペレータ（図示略）即ちユーザーによって供給されたであろうページングメッセージを受けための入力１２を有している。入力１２は、記憶装置即ちＲＡＭ１４を有している。ＲＡＭ１４は、十分に多数のメッセージが、それらがバースト転送されること、又は、消音期間の場合にはそれらメッセージが周期的に転送されることをを正当化するに足るほどに蓄積されるまで該メッセージを記憶する。コントローラ１６が、前記ページングシステムコントローラの動作を制御するために設けられる。コントローラ１６の制御の下、メッセージは、フォーマッティング段１８においてフォーマットされる。メッセージをフォーマットする際には、アドレスコードが、コード記憶装置２０から読み出される受信機識別コード（ＲＩＣ）によってメッセージの前に添付される。メッセージは、代替的にはＰＯＣＳＡＧとして知られるＣＣＩＲ無線ページングコードＮｏ．１等の関連のエアインターフェースプロトコルに従って送信され得るようにフォーマットされる。フォーマットされたメッセージは、チャネルコーディング段２２において符号化され、活性の領域内二次局即ちページャーＳＳに無線により前方送信するための送信機１０に中継される。ページャーは、第１図ではその１つが示されている。
ページャーＳＳは、受信機３２に結合されるアンテナ３０を有している。受信機３２は、デコーダ３４に接続される。制御プロセッサ３６が、デコーダ３４に結合される。プロセッサ３６は、読出し専用メモリ３８に記憶されたプログラムに従って動作する。前記プロセッサは、ページャーの一意性のアドレスを内包するアドレス記憶装置（図示略）も含む。ページャーがメッセージを受信する場合、これは、例えばＥＥＰＲＯＭである不揮発性メモリ４０に記憶される。メッセージは、ＬＣＤパネル４４上に連続的に表示され得る。ＬＣＤパネル４４は、制御プロセッサ３６に結合される自身に関連するドライバ４２を有する。音響トランスデューサ４６、発光トランスデューサ４８及びバイブレータ５０を有しても良い報知装置が、制御プロセッサ３６に結合される。キーパッド５２は、マンマシンインターフェースを提供し、これにより、ユーザーは、種々の機能を実行すべく、例えば、記憶されたメッセージをパネル４４上に表示させるべく、前記プロセッサに命令することが可能である。受信器電力制御段５４は、順守されるページングプロトコルの規定に従って電池の節約を実行すべく、プロセッサ３６と受信器３２との間に結合される。
所望に応じて、デコーダ３４及び受信器電力制御段５４等の幾つかの機能ブロックは、プロセッサ３６に対するソフトウェアとして実施されても良い。
本発明は、前記アドレス記憶装置（図示略）に記憶されたものの一つに対応するアドレスを持つメッセージの受信に応じて音響トランスデューサ４６により生成される警報信号に関する。本明細書の前段は、警報信号が選択される種々の既知の方法を概説している。しかしながら、メロディー警報信号の場合には、これらは、ページャーのユーザーによって、製造業者により該ページャー内に事前記憶されているか又は該ユーザーによって音符ごとに生成される複数のシーケンスから選択される。しかしながら、一旦、選択され或いは生成されてしまうと、同じメロディーシーケンスが、ユーザーが新たな選択を為し或いは新たなシーケンスを生成するまで警報毎に繰り返して再生される。これら公知の技術とは対照的に、本発明によって作られたページャーは、受信メッセージの内容からメロディーシーケンスを生成し、それに関連して、該メロディーシーケンスは、典型的には数字メッセージである場合、メッセージが一意的であるユーザーの電話番号であるように、送信者と関連付けられることが可能である。
説明を明快にするため、本発明を、ページャーのユーザーが呼び出すことを要求される電話番号をしばしば表わす一連の数字を標準的に有する、数字ページングメッセージに関して説明する。しかしながら、前記一連の数字は、「予め容易されたメッセージ」、即ち、２以上のＡＳＣＩＩ文字又は１６進法の文字としてメモリ位置を提示する数字メッセージに応じて復元される事前記憶された英数字メッセージを表わすことも可能であろう。音声メールが使用されることもまた可能であろう。
メロディーシーケンスを生成するために、テンポ（ｔ）即ち１分当たりのビート数（ｂｐｍ）における再生速度、メロディーが再生されるべき回数（ｐ）、各音符及び音符持続時間を決定することが必要である。ページャー制御プロセッサ３６は、受信した数字メッセージを複数の一桁及び二桁数字フィールドに分割する。一桁数字フィールドは、メロディーが再生されるべくテンポｔ及び回数ｐを示すために使用され、二桁数字フィールドは、各音符を示すために使用される。
第２図は、その原理を説明するものであり、２０桁にまで達するメッセージ長を想定している。第２図は、譜表を図示するものであり、２オクターブの音符を示している。第１の一桁数字フィールドは、以下の表で示されるように、１分当たりのビート数（ｂｐｍ）でテンポｔを規定する１から９の間の値を持つ数字を内包している：
0004256479.tif 000002
第２の一桁数字フィールドは、回数ｐを規定するものであり、５から９の間であることが必要である。数字が５未満の値を有する場合、ｐは、以下の表で示されるように、５という省略時の値を有する：
0004256479.tif 000003
連結された二桁数字フィールドは、以下の表で示されるように、関連する音符を規定する：
0004256479.tif 000004
0004256479.tif 000005
その他の規定：  ００は、１ビート持続時間の休止符を示すものであり、即ち、その音符の長さを１ビートだけ増大させる。
１６は、２ビート持続時間の休止符を示すものであり、即ち、その音符の長さを２ビートだけ増大させる。
３２は、３ビート持続時間の休止符を示すものであり、即ち、その音符の長さを３ビートだけ増大させる。
４８は、４ビート持続時間の休止符を示すものであり、即ち、その音符の長さを４ビートだけ増大させる。
第３図は、数字メッセージ：  ５５０９０９０９５５０８０８０８５４１６によって規定されるベートーベンの第５番の始まりに対するこの原理の適用を示している。即ち、第１の数字５は、４８０ｂｐｍのテンポに対応するｔ＝５を意味し、これもまた５である第２の数字は、５回の繰返しに対応するｐ＝５を意味する。その次の３対の数字（０９）は、３つの「Ａ」に対応し、その次の対（５５）は、音符「Ｆ」の４カウントに対応し、その次の３対の数字（０８）は、３つの「Ｇ」に対応し、その次の対５４は、音符「Ｅ」の４カウントに対応し、最後の対（１６）は、２カウントの休止符に対応するのである。
メロディーがメッセージ内の数字データを使用して如何にして生成されるのかという原理を説明したので、ここでは、アルゴリズムの一例を与える。ページャーは、メニューキーの連続的な活性に応じて多数のメニューを表示するユーザーインターフェースを有すると想定する。セットメロディースクリーンでは、３つの区別的なメロディーのタイプが選択可能である。
１．  １から９のメロディー番号として記憶される、工場出荷時の省略時メロディー；
２．  １０から１８のメロディー番号として記憶される、ユーザープログラムメロディー；
３．  その他の場合に例えば番号１９が表示される個別のプロンプトがユーザーに提供される、自動データ再生（ＡＤＰ）メロディー。ＡＤＰでは、メロディーは、到来するメッセージ内の数字及び／又は英数字データから生成される。
簡潔にするために、工場出荷時の省略時メロディー及びユーザープログラムメロディーは、それらが進歩性のいかなる部分を形成するものでなく、本質的に当該分野で既知であるので、議論をしない。
２０桁の数字メッセージが想定される：
0004256479.tif 000006
テンポｔ及び再生ｐに関する一桁数字フィールドの規定は、第２図を参照して上述されたようなものである。ｎ１からｎ９の二桁数字フィールドは、可変ピッチ及び長さを備えた９個の音符又は休止符に対応する。
変換は、以下の通りである：
００−１５    音符のピッチ：休止符、ｓ＿〜ｓ＾、１ビートの長さ（ここでｓ＿は低オクターブ、ｓ＾はが高オクターブを示す）；
１６−３１    音符のピッチ：休止符、ｓ＿〜ｓ＾、２ビートの長さ；
３２−４７    音符のピッチ：休止符、ｓ＿〜ｓ＾、３ビートの長さ；
４８−６３    音符のピッチ：休止符、ｓ＿〜ｓ＾、４ビートの長さ；
６４−７９    ００−１５に対するマッピング；
８０−９５    １６−３１に対するマッピング；
９６−９９    ３２−３５に対するマッピング；
示された具体例は、「Ｃ」調を想定している。
上述のように、００，１６，３２及び４８は、各々、１ビートから４ビートまでの持続時間の休止符である。
ページングシステムコントローラＰＳＣ（第１図）内でメッセージをフォーマットする際、多数の特殊な事例が生じて、以下のように処理される：
１．  空白を包含する特殊なフォーマッティング文字（９を越えるメッセージニブル値）は、無視される。
２．  ２０桁よりも短いメッセージは、少なめの音符しか再生しないことになる。
３．  奇数個の桁が存在する場合、例えば、１２３４５６７が１２  ３４  ５６  ０７になるように事前に変換されるように、最後の数字に、ゼロを前置して、最後の音符のための１対の数字を提供する。
４．  ３つ未満の数字しか包含しないメッセージは、その中に音符の情報が何も存在しないので、メロディーの目的に関してはトーンのみの呼出しとして処理される。
５．  休止符のみによって構成されるメッセージは、工場出荷時の省略時メロディーを再生することを自動的に選択する。
６．  トーンのみの呼出しが、再生される、或いは、ＡＤＰモードにおいて警報される場合、音符データが何も存在しないので、発信源アドレス値が、ページャー内のメロディー番号にインデックスするために使用される。例えば、発信源アドレス１におけるトーンのみの呼出しにより、工場渡しの省略時メロディー１が再生される。
７．  トーンのみの呼出しは、ユーザープログラムメロディーとして記憶され得ない。
８．  誤ったデータを包含するメッセージは、以上のように規定されて再生される。これは、メロディーが「正しい」メロディーとは異なるということを意味する可能性があることに留意されたい。「最上位」数字、即ちテンポ及び再生の回数を表わす数字は、最も壊れにくいであろう。
変換アルゴリズムは、以下のような特性を有する：
１．  アルゴリズムは、繰返し可能であり、不調和的ではなく、且つ合理的に一意的であるメロディーが、如何なる電話番号から生成されることを必要とする、ＡＤＰモードを支持すると共に、ユーザープログラム式メロディーのフレキシブルな生成を許容する。
２．  ピッチ範囲は、本質的に１つのキーでにおいて２オクターブに渡る１５個の別個のピッチを許容する。
３．  ｛調｝、即ち絶対的なピッチ開始ポイントは、スピーカーのレンジに適合するように定められる。
４．  各音符は、４つの持続時間の中の１つを有することが可能である。
５．  許容されるテンポレンジは、ＡＤＰ呼出し警報の品質を保証すべく狭められる。
６．  テンポは、生成されるメロディーの全体を通して一定である。
７．  再生の最小回数は、５回である。これは、生成されるメロディーがユーザーに新しいメッセージを警報するに十分に長いということを保証する。
８．  ６３より大きい音符値は、ユーザーによる誤ったメロディー構築の結果として、或いは、ＡＤＰモードにおける通常のメッセージデータに起因して発生するであろう。全ての音符値は、全ての値が有意義な音符に変換されることを保証する法６４（modulo 64）である。
ＡＤＰモードでは、如何なる到来メッセージが、そのメッセージデータをメロディー呼出し警報に変換し、次いで再生するように警報される。到来メッセージは、数字又は英数字であっても良い。このフィーチャーは、ページャーが、頻繁に受信される電話番号によって生成される当該メロディーを認識することを学習することが可能である視覚障害者のユーザーによって使用されることを許容する。
緊急のメッセージに関しては、これらは、メッセージによって生成されるメロディー警報における変化を引き起こすメッセージにより、或いは、所定のアドレスで受信される全てのメッセージを緊急として処理されるようにアレンジすることにより指示されても良い。
通常、ページャーは、ＡＤＰモードにおいて生成されるメロディーの自動的な記憶を支援しない。何故なら、メロディーは、受信される数字データから生成され得るからである。
本発明が一方向のデジタルページングシステムに関連して説明されたが、本発明は、二方向のページングシステム、セルラ方式又はコードレス方式の電話システム、及び如何なる他の適宜の通信システムにおいて使用されても良い。更に、本発明が数字メッセージに関連して説明されたが、英数字メッセージが、メロディー警報信号を生成するために使用されても良い。
本願明細書を読めば、他の変形が当業者にとって明らかであろう。そのような変形は、通信システム或いはその構成部分の設計、製造及び使用において既に知られていて、且つここで上述されたフィーチャーの代わりに或いは付け加えて使用され得るような、他のフィーチャーを包含するかもしれない。
産業上の応用可能性
ディジタル無線ページャー及びセルラ方式及びコードレス方式の電話等の遠隔通信装置用のメロディー警報シーケンスの生成。
【図１】
0004256479.tif 000007
【図２】
0004256479.tif 000008
【図３】
0004256479.tif 000009